【手続補正書】
【提出日】平成16年2月12日(2004.2.12)
【手続補正１】
【補正対象書類名】明細書
【補正対象項目名】特許請求の範囲
【補正方法】変更
【補正の内容】
【特許請求の範囲】
【請求項１】
電動送風機を内蔵し、吸引した塵埃を貯留する第一の集塵室を有する電気掃除機本体と、
前記第一の集塵室と連通し、前記電気掃除機本体に一端が接続される可撓性のホースと、
前記ホースの他端と一端が接続される吸込パイプと、
前記吸込パイプの他端に接続される床ブラシと、
を備え、
前記ホースと吸込パイプは着脱自在に構成され、
前記床ブラシには、第二の集塵室と前記第二の集塵室に集められた塵埃を外部に廃棄するための開口部と、前記開口部を覆う蓋と、被清掃面から塵埃を集塵するための回転ブラシを有し、
前記床ブラシには前記回転ブラシを駆動するための電動機と前記電動機を駆動する蓄電池が備えられ、
前記パイプには前記回転ブラシを駆動するための前記電動機のＯＮ・ＯＦＦを操作し得るスイッチが設けられた操作部を備え、
前記回転ブラシを駆動するための電気回路にトリガー回路を有することを特徴とする電気掃除機。
【請求項２】
電動送風機を内蔵し、吸引した塵埃を貯留する第一の集塵室を有する電気掃除機本体と、
前記第一の集塵室と連通し、前記電気掃除機本体に一端が接続される可撓性のホースと、
前記ホースの他端と一端が接続される吸込パイプと、
前記吸込パイプの他端に接続される床ブラシと、
を備え、
前記ホースと吸込パイプは着脱自在に構成され、
前記床ブラシには、第二の集塵室と前記第二の集塵室に集められた塵埃を外部に廃棄するための開口部と、前記開口部を覆う蓋と、被清掃面から塵埃を集塵するための回転ブラシを有し、
前記床ブラシには前記回転ブラシを駆動するための電動機と前記電動機を駆動する蓄電池が備えられ、
前記パイプには前記回転ブラシを駆動するための前記電動機のＯＮ・ＯＦＦを操作し得るスイッチが設けられた操作部を備え、
前記回転ブラシを駆動するための電気回路に定電流回路を有することを特徴とする電気掃除機。
【請求項３】
電動送風機を内蔵し、吸引した塵埃を貯留する第一の集塵室を有する電気掃除機本体と、
前記第一の集塵室と連通し、前記電気掃除機本体に一端が接続される可撓性のホースと、
前記ホースの他端と一端が接続される吸込パイプと、
前記吸込パイプの他端に接続される床ブラシと、
を備え、
前記ホースと吸込パイプは着脱自在に構成され、
前記床ブラシには、第二の集塵室と前記第二の集塵室に集められた塵埃を外部に廃棄するための開口部と、前記開口部を覆う蓋と、被清掃面から塵埃を集塵するための回転ブラシを有し、
前記ホースと前記吸込パイプを接続した際に、前記電動送風機が所定時間動作することを特徴とする電動掃除機。
【請求項４】
前記床ブラシには前記回転ブラシを駆動するための電動機と前記電動機を駆動する蓄電池が備えられ、
前記パイプには前記回転ブラシを駆動するための前記電動機のＯＮ・ＯＦＦを操作し得るスイッチが設けられた操作部を備えることを特徴とする請求項３に記載の電気掃除機。
【請求項５】
前記床ブラシに備えられた回転ブラシの形状が略円筒形状であり、前記床ブラシに備えられた第二の集塵室は、少なくとも前記回転ブラシに対向する壁面の長さが前記回転ブラシ軸方向の長さの６割以上となっているか、又は前記第二の集塵室に塵埃を導入する前記回転ブラシ軸方向の長さの６割以上長さで構成された塵埃導入部を有することを特徴とする請求項１乃至４のいずれかに記載の電気掃除機。
【請求項６】
前記電気掃除機本体の第一の集塵室に貯留された塵埃量、第一の集塵室内の真空度、電動送風機の動作電流値、或いは前記吸込パイプやホース等の吸引経路内を通過する塵埃の量のいずれか一つ、又は複数を測定しゴミ量を検知する検知装置を設け、
前記検知装置の検知結果をもとに前記ホースと前記吸込みパイプを接続した際に、前記電動送風機が動作する時間を可変する制御装置を備えたことを特徴とする請求項３に記載の電気掃除機。
【請求項７】
電動送風機を内蔵し、吸引した塵埃を貯留する第一の集塵室を有する電気掃除機本体と、
前記第一の集塵室と連通し、前記電気掃除機本体に一端が接続される可撓性のホースと、
前記ホースの他端と一端が接続される吸込パイプと、
前記吸込パイプの他端に接続される床ブラシと、
を備え、
前記ホースと吸込パイプは着脱自在に構成され、
前記床ブラシには、第二の集塵室と前記第二の集塵室に集められた塵埃を外部に廃棄するための開口部と、前記開口部を覆う蓋と、被清掃面から塵埃を集塵するための清掃手段と、前記清掃手段を駆動する蓄電池を有し、
前記充電池に充電するための充電回路が前記電機掃除機本体内に内蔵されたことを特徴とする電気掃除機。
【請求項８】
前記掃除機本体内の第一の集塵室に貯留されたゴミ量を検知する検知装置の検知結果をもとに、ゴミ量を表示するゴミ量表示装置を設けたことを特徴とする請求項６又は７に記載の電気掃除機。
【手続補正２】
【補正対象書類名】明細書
【補正対象項目名】００１７
【補正方法】変更
【補正の内容】
【００１７】
【課題を解決するための手段】
前記目的を達成するために、本発明にかかる電気掃除機は、電動送風機を内蔵し、吸引した塵埃を貯留する第一の集塵室を有する電気掃除機本体と、前記第一の集塵室と連通し、前記電気掃除機本体に一端が接続される可撓性のホースと、前記ホースの他端と一端が接続される吸込パイプと、前記吸込パイプの他端に接続される床ブラシとを備え、前記ホースと吸込パイプは着脱自在に構成され、前記床ブラシには、第二の集塵室と前記第二の集塵室に集められた塵埃を外部に廃棄するための開口部と、前記開口部を覆う蓋と、被清掃面から塵埃を集塵するための回転ブラシを有し、前記床ブラシには前記回転ブラシを駆動するための電動機と前記電動機を駆動する蓄電池が備えられ、前記パイプには前記回転ブラシを駆動するための前記電動機のＯＮ・ＯＦＦを操作し得るスイッチが設けられた操作部を備え、前記回転ブラシを駆動するための電気回路にトリガー回路を有することを特徴とする。
また、本発明にかかる電気掃除機は、電動送風機を内蔵し、吸引した塵埃を貯留する第一の集塵室を有する電気掃除機本体と、前記第一の集塵室と連通し、前記電気掃除機本体に一端が接続される可撓性のホースと、前記ホースの他端と一端が接続される吸込パイプと、前記吸込パイプの他端に接続される床ブラシとを備え、前記ホースと吸込パイプは着脱自在に構成され、前記床ブラシには、第二の集塵室と前記第二の集塵室に集められた塵埃を外部に廃棄するための開口部と、前記開口部を覆う蓋と、被清掃面から塵埃を集塵するための回転ブラシを有し、前記床ブラシには前記回転ブラシを駆動するための電動機と前記電動機を駆動する蓄電池が備えられ、前記パイプには前記回転ブラシを駆動するための前記電動機のＯＮ・ＯＦＦを操作し得るスイッチが設けられた操作部を備え、前記回転ブラシを駆動するための電気回路に定電流回路を有することを特徴とする。


【手続補正３】
【補正対象書類名】明細書
【補正対象項目名】００１８
【補正方法】変更
【補正の内容】
【００１８】
また、本発明にかかる電気掃除機は、電動送風機を内蔵し、吸引した塵埃を貯留する第一の集塵室を有する電気掃除機本体と、前記第一の集塵室と連通し、前記電気掃除機本体に一端が接続される可撓性のホースと、前記ホースの他端と一端が接続される吸込パイプと、前記吸込パイプの他端に接続される床ブラシとを備え、前記ホースと吸込パイプは着脱自在に構成され、前記床ブラシには、第二の集塵室と前記第二の集塵室に集められた塵埃を外部に廃棄するための開口部と、前記開口部を覆う蓋と、被清掃面から塵埃を集塵するための回転ブラシを有し、前記ホースと前記吸込パイプを接続した際に、前記電動送風機が所定時間動作することを特徴とする。
また、本発明における電気掃除機は、前記床ブラシには前記回転ブラシを駆動するための電動機と前記電動機を駆動する蓄電池が備えられ、前記パイプには前記回転ブラシを駆動するための前記電動機のＯＮ・ＯＦＦを操作し得るスイッチが設けられた操作部を備えるものである。


【手続補正４】
【補正対象書類名】明細書
【補正対象項目名】００１９
【補正方法】変更
【補正の内容】
【００１９】
また、本発明における電気掃除機は、前記床ブラシに備えられた回転ブラシの形状が略円筒形状であり、前記床ブラシに備えられた第二の集塵室は、少なくとも前記回転ブラシに対向する壁面の長さが前記回転ブラシ軸方向の長さの６割以上となっているか、又は前記第二の集塵室に塵埃を導入する前記回転ブラシ軸方向の長さの６割以上長さで構成された塵埃導入部を有するものである。
また、本発明における電気掃除機は、前記電気掃除機本体の第一の集塵室に貯留された塵埃量、第一の集塵室内の真空度、電動送風機の動作電流値、或いは前記吸込パイプやホース等の吸引経路内を通過する塵埃の量のいずれか一つ、又は複数を測定しゴミ量を検知する検知装置を設け、前記検知装置の検知結果をもとに前記ホースと前記吸込みパイプを接続した際に、前記電動送風機が動作する時間を可変する制御装置を備えたものである。


【手続補正５】
【補正対象書類名】明細書
【補正対象項目名】００２０
【補正方法】変更
【補正の内容】
【００２０】
また、本発明にかかる電気掃除機は、電動送風機を内蔵し、吸引した塵埃を貯留する第一の集塵室を有する電気掃除機本体と、前記第一の集塵室と連通し、前記電気掃除機本体に一端が接続される可撓性のホースと、前記ホースの他端と一端が接続される吸込パイプと、前記吸込パイプの他端に接続される床ブラシとを備え、前記ホースと吸込パイプは着脱自在に構成され、前記床ブラシには、第二の集塵室と前記第二の集塵室に集められた塵埃を外部に廃棄するための開口部と、前記開口部を覆う蓋と、被清掃面から塵埃を集塵するための清掃手段と、前記清掃手段を駆動する蓄電池を有し、前記充電池に充電するための充電回路が前記電機掃除機本体内に内蔵されたことを特徴とする。
また、本発明の電気掃除機において、前記掃除機本体内の第一の集塵室に貯留されたゴミ量を検知する検知装置の検知結果をもとに、ゴミ量を表示するゴミ量表示装置を設けたものである。